(57)【要約】【課題】互いに連結されて設置状態が安定し、必要高さに積み上げるのも比較的狭い設置スペースで簡易に行うことができる消波ブロックを提供する。【解決手段】一辺の長さがａの正三角形のコンクリートプレート２を複数枚重ねたコンクリートブロック３を鉄筋コンクリート製の３本のロッド４により定ピッチで連結した消波ブロック１を海岸に設置する。高波が押し寄せると、コンクリートブロック３やロッド４に当って跳ね返された海水の一部に他の海水が衝突し、混ざり合ってブロック間に侵入することにより、流れが乱されて波浪エネルギーが減衰する。【選択図】図１
2007303082.tif 000002
【特許請求の範囲】
【請求項１】
海岸又は川岸に沿って設置される消波ブロックであって、縦断面が二等辺三角形のコンクリートブロックを適当間隔で横向きのロッドにより連結してなり、海岸又は川岸には上記ロッドが海岸又は川岸に沿うようにして設置されることを特徴とする消波ブロック。
【請求項２】
上記コンクリートブロックが、１乃至複数のコンクリートブロックを積層した形態をなすことを特徴とする請求項1記載の消波ブロック。
【請求項３】
消波ブロックを底辺が接触状態で並設して、該消波ブロック間に上方より上下の向きを逆にした消波ブロックを嵌め込み、ついで更にその上に消波ブロックを積み重ねて組付けブロックを形成することを特徴とする請求項１又は２記載の消波ブロックの設置方法。
【請求項４】
請求項１又は２記載の第１の消波ブロックと、該第１の消波ブロックにおけるコンクリートブロックを縦断面が菱形のコンクリートブロックとした第２の消波ブロックとを用い、第１の消波ブロックを底辺が接触状態で並設して、該消波ブロック間に上方より第２の消波ブロックを嵌め込み、ついで更にその上に第２の消波ブロックを積み重ねて組付けブロックを形成することを特徴とする設置方法。
【請求項５】
消波ブロックを海岸に沿い適当間隔をおいて複数列配置し、最も陸側に配置される消波ブロックは、コンクリートブロックが最も密に配置されることを特徴とする請求項１又は２記載の消波ブロックの設置方法。
【請求項６】
消波ブロックを沿岸の海底に船舶の航行に支障を生じないように設置することを特徴とする請求項１又は２記載の消波ブロックの設置方法。
【発明の詳細な説明】
【技術分野】
【０００１】
本発明は、護岸のため或いは河川のコーナ部に浸食防止のために設置することができ、また津波や高潮による被害を軽減させるために使用することができる消波ブロックと、その設置方法に関する。
【背景技術】
【０００２】
消波ブロックの代表的なものにコンクリート製のテトラポッド（登録商標）があり、護岸のため従来より広く用いられているが、テトラポッド自体は津波や高潮などの高波対策に用いるのには適さない。高波対策のためには、テトラポットを高く積み上げる必要があるが、テトラポッドはその形態から乱積みせざるを得ないため、必要高さを確保するには、多量のテトラポッドと大きな設置スペースを必要とし、また個々のテトラポッドは連結されないで、単に積み上げてあるだけであるため高波で海水に浸されると、浮力によって動きやすくなり、崩落しがちとなる。
【０００３】
また津波や高潮など高波対策としては一般に防波堤が建設され、津波防波堤もいくつか提案されているが（特許文献１）、その建設には多大な費用と期間を要する。
【特許文献１】特開平７−１１３２１６号
【発明の開示】
【発明が解決しようとする課題】
【０００４】
本発明は、互いに連結されて設置状態が安定し、必要高さに積み上げるのも比較的狭い設置スペースで簡易に行うことができる消波ブロックと、その設置方法を提供することを目的とする。
【課題を解決するための手段】
【０００５】
請求項１に係わる発明は、海岸に沿って配置されるか、川岸に水の流れと直行する方向に配置され、或いは海底に設置される消波ブロックであって、縦断面が二等辺三角形、好ましくは正三角形のコンクリートブロックを適当間隔で横向きのロッドにより連結してなることを特徴とするものであり、
請求項２に係わる発明は、請求項１に係わる発明のコンクリートブロックが、１乃至複数のコンクリートブロックを積層した形態をなすものである。
【０００６】
請求項３に係わる発明は、請求項１又は２に係わる発明の消波ブロックの設置方法に関するもので、消波ブロックを底辺が接触した状態で並設して、該消波ブロック間に上方より上下の向きを逆にした消波ブロックを嵌め込み、ついで更にその上に消波ブロックを積み重ねて、好ましくは側面視で三角形をなす組付けブロックを形成してなるものである。
【０００７】
請求項４に係わる発明は、請求項１又は２に係わる発明の第１の消波ブロックと、該第１の消波ブロックにおけるコンクリートブロックを縦断面が菱形のコンクリートブロックとした第２の消波ブロックを用い、第１の消波ブロックを底辺が接触した状態で並設して、該消波ブロック間に上方より第２の消波ブロックを嵌め込み、ついで更にその上に第２の消波ブロックを積み重ねて、好ましくは側面視で三角形をなす組付けブロックを形成してなるものである。
【０００８】
請求項５に係わる発明は、請求項１又は２に係わる発明の消波ブロックの設置方法に関するもので、消波ブロックを海岸に沿い適当間隔をおいて複数列配置し、最も陸側に配置される消波ブロックは、コンクリートブロックが最も密に配置されるものである。
【０００９】
請求項６に係わる発明は、請求項１又は２に係わる発明の消波ブロックの別の設置方法に関するもので、消波ブロックを沿岸の海底に船舶の航行に支障を生じないように設置するものである。
【００１０】
前記各発明のコンクリートブロックは、型枠に鉄筋を入れ、ついで生コンクリートを流し込むことにより形成されるか、或いは型枠として機能する鋼製の枠体に生コンクリートを流し込むことにより形成される。前者の場合、型枠を取外して使用され、後者の場合、鋼製の枠体を取付けたまま使用される。したがって上記各発明でいうコンクリートブロックとは、型枠を取外したものと、外側に鋼製の枠体を取り付けたものの双方を含むものとされる。
【発明の効果】
【００１１】
請求項１に係わる発明によると、高波や流水が消波ブロックにぶつかると、一部がコンクリートブロックやロッドに当って跳ね返され、他の一部がコンクリートブロック間を通って流入するが、流れの方向転換、衝突、合流、絞り作用などにより流れが乱されてエネルギーが減衰し、海岸や川岸の浸食を防止することができると共に、津波や高潮による被害を軽減させることができること、コンクリートブロックは消波ブロック全体に比べ軽量であるため、工場生産して施工現場に運び、ロッドで連結して組み付けることができ、製造コストを低減できること、コンクリートブロックのピッチは、ロッドへの取付位置を変えることによって容易に変更できること、ロッドで連結された各コンクリートブロックは一体化され、ばらばらな動きをしないため、津波や高潮で海水に漬かるようなことがあっても設置状態が安定すること、コンクリートブロックは二等辺三角形、好ましくは正三角形であるため、上下を逆にして組み付けることにより台形を形成し、更にその上に同様にして組み付けた台形及び三角形を組付けることにより、三角形をなすコンクリートブロックの底辺の長さの整数倍の長さをなし、かつコンクリートブロックの高さの整数倍の高さをなす三角形の組付けブロックを簡易に形成することができること、形成された組付けブロックは三角形又は台形であるため、設置状態が安定すること、コンクリートブロックは互いに隙間なく組み付けられるため設置面積を少なくすることができること等の効果を奏する。
【００１２】
請求項２に係わる発明によると、コンクリートブロックを複数のコンクリートプレートで構成することにより、コンクリートプレートをより軽量化することができ、そのため運搬や組付けがより一層容易となる。
【００１３】
請求項３に係わる発明によると、コンクリートブロックと相似形で、必要高さをなす組付けブロックを簡易に得ることができる。
【００１４】
請求項４に係わる発明によると、第２の消波ブロックは水平方向にずれにくくなるため、設置状態がより一層安定し、高波に襲われても崩れにくい。
【００１５】
請求項５に係わる発明においては、津波が押し寄せて引くときには、多くの人やものが海水と共に攫われようとするが、これらが陸側に配置され、コンクリートブロックが密に配置される消波ブロックに引掛かって海水と共に海に引込まれるのを防止することができる。
【００１６】
請求項６に係わる発明によると、津波が発生したときの底波が消波ブロックに衝突することにより底波の勢いが緩和され、津波による被害を軽減されることができ、消波ブロックが漁礁としても機能するようになる。
【発明を実施するための最良の形態】
【００１７】
以下、本発明の実施形態の消波ブロックについて図面により説明する。
図１は、全体を符号１で示す消波ブロックの斜視図を示すもので、該消波ブロック１は、図２に示す一辺の長さａが例えば３ｍ程度の縦断面が正三角形のコンクリートプレート２を複数枚重ねたコンクリートブロック３を鉄筋コンクリート製の３本のロッド４により定ピッチで連結してなるものである。
【００１８】
本実施形態の消波ブロック１は以上のように構成され、海岸に設置した状態で高波が押し寄せた場合、コンクリートブロック３やロッド４に当って跳ね返された海水の一部に他の海水が衝突し、混ざり合ってブロック間に侵入することにより、流れが乱されて波浪エネルギーが減衰し、海岸や川岸の浸食を防ぐことができること、コンクリートブロック３は正三角形であるため、高波が当って仮に引繰り返るようなことがあっても同じ形態を維持できること、コンクリートプレート２は、比較的軽量であるため、工場生産して現場に運び、ロット４で連結して組み付けることが容易であり、製造コストを低減できること、コンクリートブロック３のピッチはロット４への取付位置をずらすことにより容易に変更できること、各ブロック３はロット４で連結されて一体化され、ばらばらな動きをすることがなく、高波で海水に浸されるようなことがあっても設置状態が安定すること、等の効果を有する。
【００１９】
図２は前述する消波ブロック１の使用例を示すもので、消波ブロック１を複数、図示する例では三個並設し、その上に上下を逆にした消波ブロック１二個を消波ブロック１間に嵌め込み、ついでその上に二個の消波ブロック１を置き、更にその上に菱形に組み合わせた消波ブロック１をはめ込んで全体が正三角形をなし、ブロック３の一辺の長さａが３ｍの場合、高さが約７．８ｍの組付けブロック５が形成されるようになっている。図中、矢印は波又は川の流れの方向を示す。以下の図４においても同様である。
【００２０】
前記実施形態のコンクリートブロック３は、コンクリートプレート２を複数枚重ねて構成されているが、複数枚のコンクリートプレート２を一体化した一つのコンクリートブロックで構成してもよい。
【００２１】
別の実施形態では、コンクリートブロックが１ないし複数枚重ねたコンクリートプレート２と同じ大きさをなし、型枠として機能する鋼製の枠体に生コンクリートを流し込むことにより形成される。施工に際しては、鋼製の枠体を現場まで運び、ロッド４で連結した状態で沿岸または川岸に設置するか、或いは沿岸近くの海底又は川底に沈めたのち型枠内に生コンクリートが注入される。
【００２２】
本実施形態によると、コンクリートが充填されていない枠体は比較的軽量であるため工場生産して現場まで運び、ロッドで連結して組み付けるのが比較的容易で、製造コストを低減でき、また設置後、水ないし海水に浸されることにより鋼製の枠体が腐食するようなことがあっても、剥き出しとなったコンクリートブロックが消波機能を持続するようになるほか、前記実施形態と同様の効果を奏する。
【００２３】
図３は、消波ブロックの別の例を示すもので、第２の消波ブロックに相当するものであり、正三角形のコンクリートブロックに代え、正三角形を上下に組み合わせた形態の菱形をなすコンクリートブロック７を用いたものである。
【００２４】
図４は、図１に示す消波ブロック１を並設し、その上に図３に示す消波ブロック６を組付けて図２に示す組付けブロック５と同様の組付けブロック８を形成したものである。
本実施形態の組付けブロック８においては、高波を受けても個々の消波ブロック６が横ズレし、崩れ落ちるようなことがない。
【００２５】
別の実施形態では、図４に示す組付けブロック８が沿岸の海底、例えば深さ３０ｍの海底に沈めて設置される。この実施形態においては、津波が発生したとき、底波が組付けブロック８に当ってその勢いが弱められ、津波による被害を軽減させることができること、組付けブロック８は高さが例えば上述するように７．８ｍとすると、ブロック８の頂点から界面まで２２．２ｍあるため、船舶の航行には支障がないこと、組付けブロック８が漁礁としての役割も果たすようになること等の効果を奏する。
【００２６】
図５は、消波ブロック１の別の使用例を示すもので、ブロック３のピッチが異なる二種類の消波ブロック１を海岸線から一定間隔をおいて海岸線に沿い、コンクリートブロック３のピッチが密な消波ブロック１を陸側に配置したものである。
【００２７】
本実施形態によると、津波が押し寄せて引く際、人や物がさらわれて海に引き込まれようとすると、陸側に配置した消波ブロック１に引掛かり易くなり、海水と共に海へ引き込まれるのを防ぐことができる。
【図面の簡単な説明】
【００２８】
【図１】消波ブロックの斜視図。
【図２】図１に示す消波ブロックを組み付けた使用例を示す側面図。
【図３】消波ブロックの別の態様を示す斜視図。
【図４】図１及び図３に示す消波ブロックを組み付けた使用例を示す側面図。
【図５】図１に示す消波ブロックの別の使用例を示す側面図。
【符号の説明】
【００２９】
１、６・・消波ブロック
２、７・・コンクリートプレート
３・・コンクリートブロック
４・・ロッド
５、８・・組付けブロック
【図１】
2007303082.tif 000003
【図２】
2007303082.tif 000004
【図３】
2007303082.tif 000005
【図４】
2007303082.tif 000006
【図５】
2007303082.tif 000007